(57)【要約】【課題】燃料電池装置の初期起動時や再起動時において、適切な時期に水蒸気改質を開始することのできる燃料電池装置およびその運転方法を提供する。【解決手段】燃料電池１と、燃料電池１に供給される改質ガスを生成するための改質器４と、改質器４に被改質ガスを供給するための被改質ガス供給手段２と、改質器４に水を供給するための水ポンプ１１と、水ポンプ１１から改質器４に向けて供給される水を検知するための水流れセンサ２０とを具備し、水流れセンサ２０が改質器４に向けて供給される水の流れを検知し、かつ改質器４が所定の温度を超えた後に、改質器４に被改質ガス供給手段２より被改質ガスを供給して、水蒸気改質を開始する制御部１４を有することから、適切な時期に水蒸気改質を開始することができる。【選択図】図１
2008159463.tif 000002
【特許請求の範囲】
【請求項１】
燃料電池と、該燃料電池に供給される改質ガスを生成するための改質器と、該改質器に被改質ガスを供給するための被改質ガス供給手段と、前記改質器に水を供給するための水ポンプと、該水ポンプから前記改質器に向けて供給される水を検知するための水流れセンサとを具備し、該水流れセンサが前記改質器に向けて供給される水の流れを検知し、かつ前記改質器が所定の温度を超えた後、前記改質器に前記被改質ガス供給手段より被改質ガスを供給して水蒸気改質を開始するように制御する制御部を有することを特徴とする燃料電池装置。
【請求項２】
燃料電池と、該燃料電池に供給される改質ガスを生成するための改質器と、該改質器に被改質ガスを供給するための被改質ガス供給手段と、前記改質器に酸素含有ガスを供給するための酸素含有ガス供給手段と、前記改質器に水を供給するための水ポンプと、該水ポンプから前記改質器に向けて供給される水を検知するための水流れセンサとを具備する燃料電池装置の運転方法であって、前記改質器にて、前記酸素含有供給手段により供給される酸素含有ガスと前記被改質ガス供給手段により供給される被改質ガスとで部分酸化改質を行ない、前記水流れセンサが前記改質器に向けて供給される水の流れを検知し、かつ前記改質器が所定の温度を超えた後、前記改質器にて水蒸気改質を開始することを特徴とする燃料電池装置の運転方法。
【請求項３】
燃料電池と、該燃料電池に供給される改質ガスを生成するための改質器と、該改質器に被改質ガスを供給するための被改質ガス供給手段と、前記改質器に水を供給するための水ポンプと、該水ポンプから前記改質器に向けて供給される水を検知するための水流れセンサとを具備する燃料電池装置の運転方法であって、前記水流れセンサが前記改質器に向けて供給される水の流れを検知し、かつ前記改質器が所定の温度を超えた後、前記改質器に被改質ガスが供給されて水蒸気改質を開始することを特徴とする燃料電池装置の運転方法。
【請求項４】
前記水流れセンサが前記改質器に向けて供給される水の流れを検知するまでの間、前記水ポンプを最大出力で運転することを特徴とする請求項２または請求項３に記載の燃料電池装置の運転方法。
【発明の詳細な説明】
【技術分野】
【０００１】
本発明は、燃料電池と、燃料電池の発電に必要な改質ガスを生成するための改質器とを具備する燃料電池装置およびその運転方法に関する。
【背景技術】
【０００２】
近年、次世代エネルギーとして、燃料電池セルを複数配列してなる燃料電池セルスタックを収納容器内に収納した燃料電池と、燃料電池を稼動するための補機類とを外装ケースに収納してなる燃料電池装置およびその運転方法が種々提案されている。
【０００３】
この燃料電池において発電に用いる燃料ガスとしては水素が用いられ、水素ガスと酸素含有ガス（通常、空気である）とを燃料電池セルに供給し、酸素含有ガスを燃料電池セル中の酸素極に接触させ、かつ水素を燃料電池セル中の燃料極と接触させ、所定の電極反応を生じせしめることにより、燃料電池セルの発電が行われる。
【０００４】
ここで、燃料ガスである水素の生成方法としては、水（水蒸気）を用いて改質反応を行なう水蒸気改質法、酸素を用いて改質反応を行なう部分酸化改質法、これらを併用して改質反応を行なう併用改質（オートサーマル）法が知られている。
【０００５】
水蒸気改質法は、被改質ガスである炭化水素を水蒸気と反応させて水素を得ることができる吸熱反応であり、ＣＨ４＋Ｈ２Ｏ→３Ｈ２＋ＣＯで表すことができ、水素を得る効率のよい反応として知られている。
【０００６】
一方、部分酸化改質法は、被改質ガスである炭化水素を酸素と反応させて水素を得ることができる発熱反応であり、ＣＨ４＋Ｏ２→２Ｈ２＋ＣＯ２で表すことができる。この部分酸化改質法は、水蒸気改質法よりも水素を得る効率は劣るものの、発熱反応であることが大きな特徴である。
【０００７】
それゆえ従来、燃料電池装置の運転方法において、燃料電池の起動時に部分酸化改質法を用い、燃料電池もしくは改質器が所定の温度を超えた場合に、より効率良く水素を生成できる水蒸気改質法に切り替える方法が知られている（例えば、特許文献１参照）。
【０００８】
ちなみに、従来、水蒸気改質により得られた水素を用いて発電を行なう燃料電池装置としては、改質ガス（燃料ガス）と酸素含有ガスが供給され発電を行なう燃料電池セルと、燃料電池セルに供給する改質ガスを生成するための改質器と、改質器に供給する水を生成するための水処理装置や改質器に水を供給するための水ポンプ等の水供給手段とを具備することが知られている。
【特許文献１】特開２００５−３１７４０５号公報
【発明の開示】
【発明が解決しようとする課題】
【０００９】
燃料電池に供給する改質ガスを生成するために水蒸気改質を行なうにあたっては、改質触媒を有する改質器に水と被改質ガス（炭化水素系燃料）が供給されて水蒸気改質が行なわれる。
【００１０】
しかしながら、燃料電池の初期起動時や再起動時には、改質器に供給する水を水供給手段で処理するのにあたり時間がかかり、水ポンプを起動してから改質器に水が供給されるまでに時間がかかるという問題があった。
【００１１】
それにより、例えば、部分酸化改質から水蒸気改質に切り替える改質方法を採用するにあたって、改質器が所定の温度を超えた後に（場合によっては直ちに）、部分酸化改質から水蒸気改質に切り替える（徐々に移行する場合も含む）場合において、改質器（改質触媒）が所定の温度に達しているものの、改質器に水が供給されていない場合には、水蒸気改質を行うことができないという問題があった。
【００１２】
またこの場合に、改質器に水が供給される時間を想定し、意図的に水蒸気改質への切り替えを遅らせることも考えられるが、その場合には、部分酸化改質を長時間行なうことにより、改質触媒の温度が上昇し、改質触媒が劣化するという問題もあった。
【００１３】
また燃料電池の初期起動時や再起動時に、バーナーやヒーター等で改質器の温度を上昇させて、水蒸気改質を行なう場合にあっても、同様の問題が生じる場合があった。
【００１４】
それゆえ本発明は、燃料電池の初期起動時や再起動時において、適切な時期に水蒸気改質を開始することのできる燃料電池装置およびその運転方法を提供することを目的とする。
【課題を解決するための手段】
【００１５】
本発明の燃料電池装置は、燃料電池と、該燃料電池に供給される改質ガスを生成するための改質器と、該改質器に被改質ガスを供給するための被改質ガス供給手段と、前記改質器に水を供給するための水ポンプと、該水ポンプから前記改質器に向けて供給される水を検知するための水流れセンサとを具備し、該水流れセンサが前記改質器に向けて供給される水の流れを検知し、かつ前記改質器が所定の温度を超えた後、前記改質器に前記被改質ガス供給手段より被改質ガスを供給して水蒸気改質を開始するように制御する制御部を有することを特徴とする。
【００１６】
このような燃料電池においては、改質器に向けて供給される水の流れを水流れセンサが検知し、かつ改質器が所定の温度を超えた場合に、制御部が、被改質ガス供給手段に被改質ガスを改質器に供給させて水蒸気改質を開始する。
【００１７】
したがって、水蒸気改質に必要な水と温度条件が整った後に水蒸気改質を開始することから、適切な時期に水蒸気改質を開始する事ができる。
【００１８】
また、本発明の燃料電池装置の運転方法は、燃料電池と、該燃料電池に供給される改質ガスを生成するための改質器と、該改質器に被改質ガスを供給するための被改質ガス供給手段と、前記改質器に酸素含有ガスを供給するための酸素含有ガス供給手段と、前記改質器に水を供給するための水ポンプと、該水ポンプから前記改質器に向けて供給される水を検知するための水流れセンサとを具備する燃料電池装置の運転方法であって、前記改質器にて、前記酸素含有ガス供給手段により供給される酸素含有ガスと前記被改質ガス供給手段により供給される被改質ガスとで部分酸化改質を行ない、前記水流れセンサが前記改質器に向けて供給される水の流れを検知し、かつ前記改質器が所定の温度を超えた後、前記改質器にて水蒸気改質を開始することを特徴とする。
【００１９】
このような燃料電池装置の運転方法においては、水蒸気改質に必要な水と温度条件が整った後に水蒸気改質を開始することから、適切な時期に水蒸気改質を開始する事ができる。すなわち、本発明の燃料電池装置の運転方法においては、改質器にて水蒸気改質を行なう前は部分酸化改質を行なっている。それゆえ、燃料電池に供給するための改質ガスを生成するにあたって、例えば、燃料電池の初期起動時や再起動時（改質器の温度が低い場合）のような改質器の温度が低い場合は部分酸化改質を行い、その後水蒸気改質に適切に切り替える（移行する）ことができる。
【００２０】
また、本発明の燃料電池装置の運転方法は、燃料電池と、該燃料電池に供給される改質ガスを生成するための改質器と、該改質器に被改質ガスを供給するための被改質ガス供給手段と、前記改質器に水を供給するための水ポンプと、該水ポンプから前記改質器に向けて供給される水を検知するための水流れセンサとを具備する燃料電池装置の運転方法であって、前記水流れセンサが前記改質器に向けて供給される水の流れを検知し、かつ前記改質器が所定の温度を超えた後、前記改質器に被改質ガスが供給されて水蒸気改質を開始することを特徴とする。
【００２１】
このような燃料電池装置の運転方法においては、水流れセンサが改質器に向けて供給される水の流れを検知し、改質器が所定の温度を超えた後に、改質器に被改質ガスが供給されて水蒸気改質を行なう。それにより、水蒸気改質に必要な水と温度条件が整った後に水蒸気改質を開始させることから、適切な時期に水蒸気改質を開始する事ができる。
【００２２】
またこの場合に、燃料電池の初期起動時に、バーナーやヒーター等で改質器の温度を上昇させた場合や、改質器の温度が高い場合の燃料電池の再起動時には、部分酸化改質を行なわずに、適切に水蒸気改質を開始することができる。
【００２３】
さらに、本発明の燃料電池装置の運転方法は、前記水流れセンサが前記改質器に向けて供給される水の流れを検知するまでの間、前記水ポンプを最大出力で運転することが好ましい。
【００２４】
それにより、燃料電池の初期起動時や再起動時に、改質器に水を供給するまでの時間を短くすることができ、水蒸気改質を開始するまでの時間を短くすることができる。
【発明の効果】
【００２５】
本発明は、燃料電池と、燃料電池に供給される改質ガスを生成するための水蒸気改質を行なう改質器とを具備する燃料電池装置の運転方法において、適切な時期に水蒸気改質を行うことができる燃料電池装置およびその運転方法を提供する。
【発明を実施するための最良の形態】
【００２６】
図１は、本発明の燃料電池装置の構成の一例を示した構成図である。本発明の燃料電池装置は、発電を行なう発電ユニット、熱交換後の湯水を貯湯する貯湯ユニット、これらのユニット間を水が循環するための循環配管から構成されている。
【００２７】
図１に示す燃料電池装置は、燃料電池１、天然ガス等の被改質ガスを供給する例えばポンプからなる被改質ガス供給手段２、酸素含有ガス（主には空気）を燃料電池１に供給するための例えばブロアからなる酸素含有ガス供給手段３、燃料電池１に供給される改質ガス（燃料ガス）を生成する改質器４を具備している。また、改質器４には、改質器４（改質触媒）の温度を測定するための温度センサ２１が設けられている。なお、後述するが、改質器４にて部分酸化改質を行なう場合、酸素含有ガス供給手段３から供給される酸素含有ガスを、燃料電池１と改質器４の両方に供給できるよう、酸素含有ガス流れ方向調整弁１９が設けられている。
【００２８】
ここで、改質器４に純水を供給する手段である水供給手段Ｘは、給水管５、給水管５に設けられ給水管５より供給される水を調整する給水弁６、活性炭フィルタ７、逆浸透膜８（以下、ＲＯ膜とする）、イオン交換樹脂９、水タンク１０、水ポンプ１１により構成されている。また水ポンプ１１から改質器４に向けて水が供給されて（流れて）いることを検知するための水流れセンサ２０が設けられている。なお、水流れセンサ２０としては、水の流れを確認できればよく、例えばフローセンサ、流量計等を用いることができる。
【００２９】
そして燃料電池１、被改質ガス供給手段２、酸素含有ガス供給手段３、改質器４および水供給手段Ｘにて、主たる発電部が構成される。
【００３０】
さらに、上記した主たる発電部に加え、燃料電池１にて発電された直流電力を交流電力に切り替え外部負荷に供給するためのパワーコンディショナ１２、燃料電池１の発電により生じた排ガス（排熱）と水とで熱交換する熱交換器１３、熱交換器１３の出口に設けられ熱交換器１３の出口を流れる水（循環水流）の水温を測定するための出口水温センサ１５、水を循環させるための循環ポンプ１６、循環ポンプ１６の運転を制御する制御部１４、により発電ユニットが構成されている。
【００３１】
また貯湯ユニットは、熱交換後の湯水を貯湯するための貯湯タンク１８により構成されている。
【００３２】
さらに、熱交換器１３と貯湯タンク１８との間で水を循環させるための循環配管１７が設けられており、発電ユニット、貯湯ユニット、循環配管１７をあわせて燃料電池装置が構成される。
【００３３】
なお、図中の矢印は、被改質ガス、酸素含有ガス、水の流れ方向を示したものであり、また破線は制御部１４に伝送される主な信号経路、または制御部１４より伝送される主な信号経路を示している。また、同一の構成については同一の番号を付するものとし、以下同様である。さらに、図示していないが、被改質ガス供給手段２と改質器４の間に、被改質ガスを加湿するための被改質ガス加湿器を設けることも可能である。
【００３４】
また、燃料電池１としては、各種燃料電池を用いることができるが、燃料電池１や燃料電池装置を小型化する上で、固体電解質形燃料電池を用いることが好ましい。そして、本発明の燃料電池装置は、特に燃料電池の発電にあたり、非常に高温の温度管理を行い、かつ水の管理も行なう必要がある固体電解質形燃料電池において有効となる。
【００３５】
本発明の燃料電池装置においては、改質器４に向けて供給される水の流れを水流れセンサ２０が検知し、かつ改質器４が所定の温度を超えた場合に、制御部１４が、被改質ガス供給手段２に、被改質ガスを改質器４に供給させて水蒸気改質を開始する。それにより、水蒸気改質に必要な水と温度条件が整った後に水蒸気改質を開始することから、適切な時期に水蒸気改質を開始する事ができる燃料電池装置を提供できる。
【００３６】
また、本発明の燃料電池装置の運転方法においては、改質器４にて、酸素含有ガス供給手段３より供給される酸素含有ガスと、被改質ガス供給手段２より供給される被改質ガスとで部分酸化改質を行ない、水流れセンサ２０が改質器４に向けて供給される水の流れを検知し、改質器４が所定の温度を越えた後、改質器４にて水蒸気改質を開始する。
【００３７】
ここで、図１に示した燃料電池装置を用いて、まず部分酸化改質により得られる燃料ガス（改質ガス）を用いて発電を行なう場合の燃料電池装置の運転方法について説明する。
【００３８】
燃料電池１の発電に用いられる燃料ガス（改質ガス）を得るために部分酸化改質を行なうにあたり、被改質ガス供給手段２により被改質ガスが改質器４に供給される。一方、酸素含有ガス（主には空気）は、酸素含有ガス供給手段３より、酸素含有ガス流れ方向調整弁１９に向けて流れる。酸素含有ガス流れ方向調整弁１９は、改質器４にて部分酸化改質を行なう場合には燃料電池１と改質器４の両方に酸素含有ガスが流れるように調整される。なお、酸素含有ガス流れ方向調整弁１９は、改質器４にて部分酸化改質が行なわれない場合には、燃料電池１にのみ酸素含有ガスが流れるように調整される。そして、改質器４に供給された被改質ガスと酸素含有ガスとで部分酸化改質が行なわれ、生成された改質ガスが燃料電池１に供給される。
【００３９】
一方、水蒸気改質により燃料ガス（改質ガス）を生成するにあたっては、改質器４で使用される水（純水）は、水供給手段Ｘを構成する給水弁６が開放され、給水管５を通して活性炭フィルタ７に給水される。活性炭フィルタ７を通水した水は、続いてＲＯ膜８を通水する。ＲＯ膜８を通水した水は、続いてイオン交換樹脂９を通水して純水が生成される。イオン交換樹脂９を通水して生成された純水は水タンク１０に貯水され、水ポンプ１１により改質器４に供給される。改質器４においては、水ポンプ１１により供給された純水と、被改質ガス供給手段２より供給される被改質ガスとで水蒸気改質が行なわれ、生成された燃料ガスが燃料電池１に供給される。
【００４０】
なお、図１においては、給水弁６より水ポンプ１１にかけて、活性炭フィルタ７、ＲＯ膜８、イオン交換樹脂９、水タンク１０を順に配置したが、例えば、イオン交換樹脂９と水タンク１０の順序を逆にすることもできる。それにより、改質器４が必要とする水を迅速に供給することができ、改質器４に対して水応答性を向上することができる。なお、給水弁６としては、電磁弁のほか、エア駆動バルブ等を用いることができる。
【００４１】
そして、燃料電池１に供給された燃料ガス（改質ガス）は、酸素含有ガス供給装置３より供給される酸素含有ガスと反応して、燃料電池１の発電が行なわれ、燃料電池１の発電で生じた電力は、パワーコンディショナ１２を通じて、外部負荷に供給される。
【００４２】
一方、燃料電池１の発電により生じた排ガス（排熱）は、主に燃料電池１の温度を高めるもしくは維持するために使用されるが、余った排ガスが燃料電池１より熱交換器１３に供給される。
【００４３】
熱交換器１３に供給された排ガスは、熱交換器１３内を流通（循環）する水とで熱交換される。そして熱交換された水（湯水）は、循環配管を循環して貯湯タンク１８に貯湯される。
【００４４】
ここで、燃料電池１に供給する改質ガスを生成する水蒸気改質を行なうにあたって、例えば燃料電池１の初期起動時やメンテナンス等により水処理装置を交換した後などの再起動時には、改質器４に供給する水を水供給手段Ｘで処理するにあたり時間がかかり、水ポンプ１１を起動してから改質器４に水が供給されるまでに時間がかかる。
【００４５】
それにより、水蒸気改質を行なうにあたって、改質器４（改質触媒）の温度が所定の温度に達していても、改質器４に水が供給されていないことで、水蒸気改質を適切に行なうことができない場合がある。
【００４６】
それゆえ、燃料電池１の初期起動時またはメンテナンス等により水処理装置を交換した後などの再起動時に、改質器４にて部分酸化改質を行い、その後、水蒸気改質に切り替える場合に、改質器４に水が供給される時間を想定して、意図的に部分酸化改質を行なう時間を長くする場合には、部分酸化改質を長時間行なうことにより、改質器４（改質触媒）の温度が上昇するため、改質触媒が劣化するもしくは劣化が早まるという問題もある。それゆえ、本発明においては、燃料電池１の初期起動または再起動の際、まず水供給手段Ｘを起動することが好ましい。
【００４７】
ここで、改質器４にて改質方法を部分酸化改質から水蒸気改質に切り替える場合の運転方法の一例について具体的に説明する。
【００４８】
まず、改質器４にて部分酸化改質を行なうことが入力された制御部１４において、酸素含有ガス供給手段３に対し、燃料電池１および部分酸化改質を行なう改質器４に必要量の酸素含有ガスを供給するように、場合によっては酸素含有ガス供給量を増加するよう信号を伝送する。あわせて制御部１４は、酸素含有ガス流れ方向調整弁１９に対し、定常運転時（水蒸気改質のみを行なう運転時）は、燃料電池１にのみ酸素含有ガスが流れるように調整している酸素含有ガス流れ方向調整弁１９を、燃料電池１および改質器４の両方に酸素含有ガスが流れるように調整するよう信号を伝送する。なお、制御部１４は、あわせて被改質ガス供給手段２に対し、部分酸化改質を行なう改質器４に必要量の被改質ガスを供給数量に信号を伝送する。それにより、改質器４に対して酸素含有ガスと被改質ガスが供給されることとなり、改質器４にて部分酸化改質を行うことができる。なお、改質器４（改質触媒）の温度情報が、温度センサ２１より制御部１４に伝送される。
【００４９】
一方、制御部１４は、改質器４にて水蒸気改質を行なうため、給水弁６を開いて水を供給する信号を伝送する。あわせて制御部１４は、水ポンプ１１に対して、改質器４に向けて水を供給するため、水ポンプ１１を起動するための信号を水ポンプ１１に伝送する。水流れセンサ２０は、水ポンプ１１から改質器４に向けて水が供給されて（流れて）いることを監視し、その情報を制御部１４に伝送する。制御部１４は、温度センサ２１から伝送される改質器４（改質触媒）の温度が所定温度を超え、かつ水流れセンサ２０が水の流れを検知した場合に、水蒸気改質を開始する制御を行なう。
【００５０】
ちなみに、改質器４において、部分酸化改質から水蒸気改質に切り替える時には、例えば部分酸化改質と水蒸気改質を併用して改質反応を行い、徐々に水蒸気改質へと移行するようにしてもよい。
【００５１】
ちなみに、部分酸化改質から水蒸気改質に切り替えるにあたり、制御部１４は酸素含有ガス供給手段３に、燃料電池１において必要量の酸素含有ガスを供給するように、場合によっては酸素含有ガス供給量を減少するよう信号を伝送する。あわせて制御部１４は、酸素含有ガス流れ方向調整弁に対し、燃料電池１にのみ酸素含有ガスが流れるように調整するよう信号を伝送する。
【００５２】
以上の方法により、燃料電池１に供給するための改質ガスを生成するにあたって、例えば、改質反応としてまず部分酸化改質を行い、その後水蒸気改質に切り替える場合において、部分酸化改質から水蒸気改質に適切に切り替える（移行する）ことができる。
【００５３】
一方、例えば改質器４の温度をバーナーやヒーター等で上昇させる場合や、改質器４の温度が高い状態での燃料電池１の再起動時等においては、部分酸化改質を行なわずに、適切に水蒸気改質を開始することもできる。
【００５４】
この場合においては、上述したのと同様に、水流れセンサ２０が改質器４に向けて供給される水の流れを検知し、かつ改質器４が所定の温度を越えた後、改質器４に被改質ガス供給手段２より被改質ガスが供給されて水蒸気改質を開始する。
【００５５】
ちなみに、例えば改質器４の温度をバーナーやヒーター等で改質器４の温度を上昇させる場合は、バーナーやヒーターに着火する信号を伝送するとともに、温度センサ２１から伝送される改質器４（改質触媒）の温度情報と、水流れセンサ２０から伝送される水ポンプ１１から改質器４に向けて供給される水の流れ情報とにより、適切に水蒸気改質を開始するよう制御することができる。
【００５６】
ちなみに、部分酸化改質から水蒸気改質に切り替えるための改質器４（改質触媒）の所定温度としては、例えば５００℃〜７００℃以上とすることが好ましく、改質触媒の種類等により適宜設定することができる。
【００５７】
また、この場合において、制御部１４は、燃料電池１の起動または再起動後、水ポンプ１１に対して、水流れセンサ２０が改質器４に向けて供給される水の流れを検知するまでの間、水ポンプ１１が最大出力で運転するよう制御することが好ましい。
【００５８】
それにより、燃料電池１の起動時や再起動時に、改質器４に水を供給するまでの時間を短くすることができ、水蒸気改質を開始するまでの時間を短くすることができる。
【００５９】
以上、本発明について詳細に説明したが、本発明は上述の実施の形態に限定されるものではなく、本発明の要旨を逸脱しない範囲内において、種々の変更、改良等が可能である。
【００６０】
たとえば、改質器４において、水流れセンサ２０が水ポンプ１１から改質器４に向けて供給される水の流れを検知した際、改質器４の温度が所定の温度に達していない場合には、水蒸気改質を行なうことができないため、改質器４に水が溜まる場合が想定される。したがって、例えば、水流れセンサ２０と改質器４との間に、例えば電磁弁等の水流れ調整弁を設けることができる。この場合、制御部１４は、改質器４の温度が、所定の温度に達するまでは改質器４に水が流れないよう弁を制御し、改質器４の温度が所定の温度に達した後は、水が改質器４に向けて水が供給されるように弁を制御することが好ましい。
【図面の簡単な説明】
【００６１】
【図１】本発明の燃料電池装置の構成を示す構成図である。
【符号の説明】
【００６２】
１：燃料電池
２：燃料供給装置
３：酸素含有ガス供給装置
４：改質器
５：水供給管
６：給水弁
７：活性炭フィルタ
８：ＲＯ膜
９：イオン交換樹脂
１０：水タンク
１１：水ポンプ
１４：制御部
１９：酸素含有ガス流れ方向調整弁
２０：水流れセンサ
２１：温度センサ
【図１】
2008159463.tif 000003